(57)【特許請求の範囲】
【請求項１】
橋桁構造物の両側面に備え付けられている一対の既設側面板と、
前記橋桁構造物の下面に備え付けられている既設下面板と、
前記一対の既設側面板及び前記橋桁構造物を貫通する既設ボルト材と、
前記既設ボルト材の両端部にそれぞれ螺合されている二重ナット材と、
を有する落橋防止装置の補修方法であって、
前記既設下面板及び前記二重ナット材を撤去し、
前記既設側面板の下端縁よりも下方へ延在する延在部を有する新設側面板を、前記既設側面板に沿って配置し、
新設ナット材を、前記既設ボルト材の両端部にそれぞれ螺合し、
両側端部に下方へ延在する延在部を有する新設下面板を、前記橋桁構造物の下面に沿って配置し、
前記新設側面板の延在部と前記新設下面板の延在部とを接合する、
ことを特徴とする落橋防止装置の補修方法。
【請求項２】
前記新設側面板の延在部と前記新設下面板の延在部との接合を、ボルト接合で行う、
請求項１に記載の落橋防止装置の補修方法。
【請求項３】
橋桁構造物の両側面に備え付けられている一対の既設側面板と、
この一対の既設側面板の下端縁よりも下方へ延在する延在部を有し、かつ当該一対の既設側面板に沿ってそれぞれが配置されている一対の新設側面板と、
この一対の新設側面板、前記一対の既設側面板、及び前記橋桁構造物を貫通する既設ボルト材と、
この既設ボルト材の両端部にそれぞれ螺合されている新設ナット材と、
両側端部に下方へ延在する延在部を有し、かつ前記橋桁構造物の下面に沿って配置されている新設下面板と、
前記新設側面板の延在部と前記新設下面板の延在部とを接合する接合部材と、
を有することを特徴とする落橋防止装置の補修構造。
【発明の詳細な説明】
【技術分野】
【０００１】
本発明は、橋梁構造体に備え付けられている既設の落橋防止装置を補修する方法及び落橋防止装置の補修構造に関するものである。
【背景技術】
【０００２】
橋梁構造体は、例えば、図１に示すように、橋桁構造物１００や支持構造物１１０等によって構成されている。なお、支持構造物１１０は、橋桁構造物１００を支持する構造物である。支持構造物１１０としては、例えば、橋台構造物や橋脚構造物等が存在する。
【０００３】
地震等に際して、橋梁構造体に大きな衝撃が加わった場合は、橋桁構造物１００が支持構造物１１０からずれ落ちる可能性がある（例えば、特許文献１等参照。）。
【０００４】
そこで、橋梁構造体には、落橋防止装置が備え付けられている。この落橋防止装置には、一対の固定具１０５，１０７が備えられている。一方の固定具１０５は、橋桁構造物１００に固定されている。また、他方の固定具１０７は、支持構造物１１０に固定されている。そして、固定具１０５及び固定具１０７は、チェーンやワイヤー等からなる連結手段１０６によって連結されている。
【０００５】
橋梁構造体に落橋防止装置が備え付けられていると、橋桁構造物１００の支持構造物１１０から遠ざかる移動が抑制される。したがって、橋桁構造物１００が支持構造物１１０からずれ落ちる危険性が低くなる。
【０００６】
しかしながら、近年、落橋防止装置の劣化が報告されている。この劣化が報告されている落橋防止装置において、橋桁構造物１００と固定具１０５との固定関係は、次のようになっている。
【０００７】
まず、固定具１０５は、図２に示すように、橋桁構造物１００の下面に沿って配置されている既設下面板１０１Ｂと一体成形され、あるいは当該既設下面板１０１Ｂに接合されている。また、既設下面板１０１Ｂは、橋桁構造物１００の両側面に沿って配置されている一対の既設側面板１０１Ａと一体成形され、あるいは当該一対の既設側面板１０１Ａに接合されている。さらに、一対の既設側面板１０１Ａは、既設ボルト材１０４及び二重ナット材（第１ナット材１０２及び第２ナット材１０３）によって橋桁構造物１００にボルト止めされている。このようにして固定具１０５は、橋桁構造物１００に対して強固に固定されている。
【０００８】
しかしながら、上記報告によると、既設側面板１０１Ａと既設下面板１０１Ｂとの境界部分（図中に符号Ａで示す。）が劣化しているとされている。境界部分Ａが劣化しているとすると、地震等に際して、既設下面板１０１Ｂが橋桁構造物１００の下面から剥離してしまう可能性がある。既設下面板１０１Ｂが剥離すれば、当然、橋桁構造物１００が支持構造物１１０からずれ落ちる危険性が増す。
【０００９】
このような事態を防ぐためには、既設の落橋防止装置を取り外し、新たな落橋防止装置を取り付けるのも１つの手である（落橋防止装置の取替え）。しかしながら、落橋防止装置の取替えは、煩瑣である。この種の落橋防止装置が多数存在することからすると、落橋防止装置を補修するのが好ましい。
【先行技術文献】
【特許文献】
【００１０】
【特許文献１】特公昭４６−６２６７号公報
【発明の概要】
【発明が解決しようとする課題】
【００１１】
本発明が解決しようとする主たる課題は、簡易な落橋防止装置の補修方法及び補修構造を提供することにある。
【課題を解決するための手段】
【００１２】
上記課題の解決を検討するにあたって、単に劣化した部分（境界部分Ａ）を存在しないものとすればよいのであれば、様々な方法が考えられる。しかるに、連結手段１０６の位置や強度等は厳密に設計されており、補修に伴って連結手段１０６の位置等がずれてしまうと落橋防止装置の強度に影響が及ぶ。このような前提のもとで想到するに至ったのが、次に示す上記課題を解決するための手段である。
【００１３】
（請求項１に記載の態様）
橋桁構造物の両側面に備え付けられている一対の既設側面板と、
前記橋桁構造物の下面に備え付けられている既設下面板と、
前記一対の既設側面板及び前記橋桁構造物を貫通する既設ボルト材と、
前記既設ボルト材の両端部にそれぞれ螺合されている二重ナット材と、
を有する落橋防止装置の補修方法であって、
前記既設下面板及び前記二重ナット材を撤去し、
前記既設側面板の下端縁よりも下方へ延在する延在部を有する新設側面板を、前記既設側面板に沿って配置し、
新設ナット材を、前記既設ボルト材の両端部にそれぞれ螺合し、
両側端部に下方へ延在する延在部を有する新設下面板を、前記橋桁構造物の下面に沿って配置し、
前記新設側面板の延在部と前記新設下面板の延在部とを接合する、
ことを特徴とする落橋防止装置の補修方法。
【００１４】
（請求項２に記載の態様）
前記新設側面板の延在部と前記新設下面板の延在部との接合を、ボルト接合で行う、
請求項１に記載の落橋防止装置の補修方法。
【００１５】
（請求項３に記載の態様）
橋桁構造物の両側面に備え付けられている一対の既設側面板と、
この一対の既設側面板の下端縁よりも下方へ延在する延在部を有し、かつ当該一対の既設側面板に沿ってそれぞれが配置されている一対の新設側面板と、
この一対の新設側面板、前記一対の既設側面板、及び前記橋桁構造物を貫通する既設ボルト材と、
この既設ボルト材の両端部にそれぞれ螺合されている新設ナット材と、
両側端部に下方へ延在する延在部を有し、かつ前記橋桁構造物の下面に沿って配置されている新設下面板と、
前記新設側面板の延在部と前記新設下面板の延在部とを接合する接合部材と、
を有することを特徴とする落橋防止装置の補修構造。
【発明の効果】
【００１６】
本発明によると、簡易な落橋防止装置の補修方法及び補修構造となる。
【図面の簡単な説明】
【００１７】
【図１】既設の落橋防止装置の側面図である。
【図２】図１のＩＩ−ＩＩ線断面図である。
【図３】落橋防止装置の補修構造である。
【図４】落橋防止装置の補修方法の手順を示す説明図である。
【発明を実施するための形態】
【００１８】
次に、本発明を実施するための形態を説明する。なお、この実施形態は、本発明の一例である。本発明は、この実施形態の範囲に限定されない。
【００１９】
（既設の落橋防止装置）
本形態の方法は、既設の落橋防止装置を補修するものである。補修の対象となる既設の落橋防止装置には、例えば、図２に示すように、一対の既設側面板１０１Ａ及び既設下面板１０１Ｂからなる面材１０１が備わる。
【００２０】
既設側面板１０１Ａの一方は、橋桁構造物１００の一方側面に沿って配置されている。既設側面板１０１Ａの他方は、橋桁構造物１００の他方側面に沿って配置されている。また、既設下面板１０１Ｂは、橋桁構造物１００の下面に沿って配置されている。
【００２１】
既設側面板１０１Ａ及び既設下面板１０１Ｂは、例えば、平板状である。また、既設側面板１０１Ａ及び既設下面板１０１Ｂの平面形状は、例えば、方形状である。
【００２２】
既設側面板１０１Ａ及び既設下面板１０１Ｂは、例えば、鋼板等からなる。本形態の既設側面板１０１Ａ及び既設下面板１０１Ｂは、１枚の鋼板からなる面材１が折り曲げられて形成されている。したがって、一対の既設側面板１０１Ａ及び既設下面板１０１Ｂは、一体成形されていることになる。
【００２３】
ただし、本形態の補修方法は、一対の既設側面板１０１Ａ及び既設下面板１０１Ｂが別体であり、両者１０１Ａ，１０１Ｂが溶接等によって接続されている場合にも、利用することができる。
【００２４】
既設側面板１０１Ａ及び既設下面板１０１Ｂの厚さは、例えば２０〜１００ｍｍ、本形態では２２ｍｍである。
【００２５】
既設側面板１０１Ａや既設下面板１０１Ｂは、橋桁構造物１００に対して接着されていても、接着されていなくてもよい。つまり、いずれの場合にも本形態の補修方法を利用することができる（以下、同様である。）。
【００２６】
また、既設側面板１０１Ａや既設下面板１０１Ｂと橋桁構造物１００との間には、エポキシ樹脂、無収縮モルタル等からなる接着剤や充填材等が充填されていても、充填されていなくてもよい。
【００２７】
既設下面板１０１Ｂには、固定具１０５が備えられている。この固定具１０５は、既設下面板１０１Ｂの下面から下方へ延在している。
【００２８】
既設下面板１０１Ｂ及び固定具１０５は、一体成形されていても、別成形されたうえで溶接等によって接続されていてもよい。
【００２９】
固定具１０５には、チェーンやワイヤー等からなる連結手段１０６が接続されている。
【００３０】
一対の既設側面板１０１Ａは、既設ボルト材１０４及び二重ナット材によって橋桁構造物１００にボルト止めされている。また、二重ナット材は、第１ナット材１０２及び第２ナット材１０３によって構成されている。
【００３１】
既設ボルト材１０４は、一対の既設側面板１０１Ａ及び橋桁構造物１００を貫通している。そして、この貫通状態で、既設ボルト材１０４の両端部に、第１ナット材１０２及び第２ナット材１０３がこの順に螺合されている。
【００３２】
既設ボルト材１０４の本数は、特に限定されない。１本であっても、２本以上の複数本であっても本形態の補修方法を利用することができる。
【００３３】
（補修方法・構造）
次に、以上で説明した既設の落橋防止装置を補修する手順について説明する。
既設の落橋防止装置を補修するにあたっては、まず、図４の（２）に示すように、既設下面板１０１Ｂを既設構造物１００の下面から取り剥がす（既設下面板１０１Ｂの撤去）。
【００３４】
本形態の既設の落橋防止装置においては、前述したように既設側面板１０１Ａ及び既設下面板１０１Ｂが１枚の面材１０１から形成されている。したがって、図４（１）に示すように、補修前の状態において、既設側面板１０１Ａと既設下面板１０１Ｂとが繋がっている。そこで、既設下面板１０１Ｂを撤去するにあたっては、既設下面板１０１Ｂと既設側面板１０１Ａとを切断しておくのが好ましい。
【００３５】
また、既設下面板１０１Ｂを撤去するにあたっては、当該既設下面板１０１Ｂに備わる固定具１０５から連結手段１０６を予め取り外しておくのが好ましい。連結手段１０６を予め取り外しておくことで、補修作業を迅速に行うことができる。
【００３６】
既設下面板１０１Ｂを撤去した状態において、橋桁構造物１００の表面にエポキシ樹脂、無収縮モルタル等の接着剤や充填材等が付着している場合は、この接着剤や充填材等を橋桁構造物１００の表面から取り除いておくのが好ましい。接着剤や充填材等を取り除いておくことで、後述する新設下面板２の橋桁構造物１００に対する付着性が向上する。
【００３７】
次に、既設ボルト材１０４の両端部に螺合されている第１ナット材１０２及び第２ナット材１０３を取り外す（二重ナット材の撤去）。この二重ナット材の撤去は、既設下面板１０１Ｂに対する作業に先立って行うことも、既設下面板１０１Ｂに対する作業に並行して行うこともできる。
【００３８】
次に、既設側面板１０１Ａの表面を、素地調整する。この素地調整により、後述する新設側面板１の既設側面板１０１Ａに対する付着性が向上する。この素地調整は、二重ナット材の撤去に先立って行うことも、二重ナット材の撤去に並行して行うこともできる。
【００３９】
次に、新設側面板１を、既設側面板１０１Ａの表面に沿って配置する。この点、新設側面板１には、既設ボルト材１０４用のボルト孔が形成されている。したがって、新設側面板１の配置は、新設側面板１のボルト孔に既設ボルト材１０４の端部が貫通するように行う。
【００４０】
新設側面板１の平面形状は、後述する延在部１Ａを除いて、既設側面板１０１Ａと同じとされている。したがって、新設側面板１の配置によって、既設側面板１０１Ａの全面が覆われる。
【００４１】
新設側面板１の延在部１Ａとは、図４の（３）に示すように、配置状態において、既設側面板１０１Ａの下端縁よりも下方へ延在する部位である。この延在部１Ａの延在長さは、例えば１５〜２００ｃｍ、好ましくは３０〜１５０ｃｍである。
【００４２】
新設側面板１の厚さは、第１ナット材１０２の厚さと同じとされている。したがって、新設側面板１の配置後においても、既設ボルト材１０４の両端部には、後述する新設ナット材６を螺合することができる。
【００４３】
新設側面板１の配置に際しては、既設側面板１０１Ａと新設側面板１との間に、エポキシ樹脂等の接着剤や充填材等を充填するのが好ましい。接着剤や充填材等を充填することで、既設側面板１０１Ａに対する新設側面板１の固定が強固なものとなる。
【００４４】
次に、既設ボルト材１０４の両端部に新設ナット材６を螺合する。この螺合により、新設側面板１が既設側面板１０１Ａを介して橋桁構造物１００に固定される。なお、この新設ナット材６の螺合が可能であることは、前述したとおりである。
【００４５】
新設ナット材６としては、ゆるみ防止という観点から、二重ナット材（この二重ナット材は、第１ナット材１０２及び第２ナット材１０３であっても、別のナット材であってもよい。）を使用することもできる。しかるに、既設側面板１０１Ａの表面に新設側面板１が配置されているため、既設ボルト材１０４の長さが足りないことも予想される。そこで、新設ナット材６としては、Ｕナット（ゆるみ止めナット）を使用するのが好ましい。このＵナットは、位置的には、第２ナット材１０３に換わるものである。なお、位置的には、新設側面板１が第１ナット材１０２に換わることになる。
【００４６】
次に、新設下面板２を橋桁構造物１００の下面に沿って配置する。
【００４７】
新設下面板２の平面形状は、既設下面板１０１Ｂの平面形状と同じとされている。ただし、新設下面板２の両側端部には、下方へ延在する延在部２Ｂが備わる。この延在部２Ｂの長さは、配置状態において（図４の（４）参照）、前述した新設側面板１の延在部１Ａと揃う長さとされている。
【００４８】
新設下面板２の配置に際しては、橋桁構造物１００と新設下面板２との間に、エポキシ樹脂等の接着剤や充填材等を充填するのが好ましい。接着剤や充填材等を充填することで、橋桁構造物１００に対する新設下面板２の固定が強固なものとなる。
【００４９】
新設下面板２には、図３に示すように、既設下面板１０１Ｂに備わる固定具１０５と同様の固定具１０５が備えられている。この固定具１０５は、新設下面板１０１Ｂの下面から下方へ延在している。
【００５０】
新設下面板２及び固定具１０５は、一体成形されていても、別成形されたうえで溶接等によって接続されていてもよい。
【００５１】
最後に、新設側面板１の延在部１Ａと新設下面板２の延在部２Ａとを接合する。この接合は、図４の（４）に示すように、接合ボルト材３及び接合ナット材４からなる接合部材を使用したボルト接合によるのが好ましい。
【００５２】
この接合により、落橋防止装置の補修は、終了する。後は、適宜、固定具１０５に、チェーンやワイヤー等からなる連結手段１０６を接続することで、落橋防止装置がその効果を発揮するようになる。この点、以上の補修によって連結手段１０６の位置等は全くずれないため、落橋防止装置の効果は、従前（落橋防止装置に劣化が生じる前）と同じになる。
【００５３】
なお、以上で説明した各種作業は、本発明の趣旨に反しない範囲で、適宜異なる順序にすることができる。
【産業上の利用可能性】
【００５４】
本発明は、橋梁構造体に備え付けられている既設の落橋防止装置を補修する方法及び落橋防止装置の補修構造として利用することができる。
【符号の説明】
【００５５】
１  新設側面板
１Ａ  （新設側面板の）延在部
２  新設下面板
２Ａ  （新設下面板の）延在部
３  接合ボルト材
４  接合ナット材
６  新設ナット材
１００  橋桁構造物
１０１  面材
１０１Ａ  既設側面板
１０１Ｂ  既設下面板
１０２  第１ナット材
１０３  第２ナット材
１０４  既設ボルト材
１０５  （橋桁構造物側の）固定具
１０６  連結手段
１０７  （支持構造物側の）固定具
１１０  支持構造物
【図１】
0006662697.tif 000002
【図２】
0006662697.tif 000003
【図３】
0006662697.tif 000004
【図４】
0006662697.tif 000005